(57)【特許請求の範囲】
【請求項１】
演算処理装置、表示装置、入力装置および記憶装置を備えたコンピュータによる建物の光環境評価方法であって、
波長別光源エネルギー量データベースおよび波長別光透過部材屈折率データベースを前記記憶装置に読み出し自在に格納しておき、
前記建物の開口部に取り付ける光透過部材および光源に関するデータが前記入力装置を介して入力されたとき、
前記演算処理装置が、
前記光源のスペクトル分布を複数の波長域に分割し、
前記記憶装置に格納された波長別光源エネルギー量データベースに基づいて前記光源の各波長域ごとのエネルギー量を算出するとともに、前記記憶装置に格納された波長別光透過部材屈折率データベースに基づいて前記光透過部材の各波長域ごとの透過率および反射率を算出し、
これらエネルギー量、透過率および反射率に基づいて各波長域ごとの透過量および反射量を算出し、
これら透過量および反射量をそれぞれ前記光源の全波長域にわたって足し合わせて室内照度を算出し、
この室内照度を前記表示装置に表示することを特徴とする建物の光環境評価方法。
【請求項２】
前記波長別光源エネルギー量データベースを天候別の自然光について作成しておき、
前記光源の各波長域ごとのエネルギー量を天候別に算出することを特徴とする請求項１に記載の建物の光環境評価方法。
【請求項３】
地域ごとの気象データを前記記憶装置に読み出し自在に格納しておき、
前記演算処理装置が、
前記記憶装置に格納された気象データに基づいてトータルの室内照度を算出し、
このトータルの室内照度と設計照度との差に基づいて人工光による補填量を算出し、
この人工光による補填量の年間累計と設計照度の年間累計との差に基づいて年間の照明エネルギーの低減量を算出することを特徴とする請求項１または請求項２に記載の建物の光環境評価方法。
【発明の詳細な説明】
【０００１】
【発明の属する技術分野】
本発明は、事務所ビルや店舗ビル、一般住宅など各種の建物を設計する際に適用するに好適な光環境評価方法に関するものである。
【０００２】
【従来の技術】
図１は建物の構成を示す模式図である。
【０００３】
従来、建物１の設計に当たっては、主に意匠面から、外壁３の開口部寸法やこの開口部に取り付ける透明ガラス、青色吸熱ガラスなどの光透過部材２を選定して仮プランを決めた後、この仮プランで室内に適度な照度が得られるか否かを検討し、室内照度が適度である場合にのみ本プランとして採用するようにしていた。
【０００４】
ここで、室内照度が適度であるか否かを検討する際には、自然光（太陽光）や人工光などの光源の透過率が入射エネルギーの波長に依存することなく一定値をとると仮定して、開口部の寸法および光透過部材２の材質（物性）から室内照度を簡便に算出していた。
【０００５】
また、室内照度の算出に際しては、晴天か曇天かを特に考慮していなかった。
【０００６】
【発明が解決しようとする課題】
しかし、これでは次のような不都合があった。
【０００７】
第１に、光源の透過率は実際には入射エネルギーの波長によっても変化するため、必ずしも正確な室内照度が算出されているとは言えず、室内照度に過不足が生じる恐れがある。
【０００８】
第２に、いかに意匠的に優れた仮プランであっても、室内照度が適度でなければ設計のやり直しを余儀なくされるので、本プランとなるまでに何度も設計し直さなければならないことが多く、プランの完成に手間と時間がかかる。
【０００９】
第３に、晴天か曇天かを考慮せずに室内照度を算出しているに過ぎないので、省エネルギー効果を算出することが困難となる。
【００１０】
本発明は、このような事情に鑑み、コンピュータにいくつかのデータを入力するだけで、適度な室内照度が得られるか否かを素早く正確に判定することができ、プランの完成に要する手間と時間を省くことが可能で、しかも省エネルギー効果を容易に得ることができる建物の光環境評価方法を提供することを目的とする。
【００１１】
【課題を解決するための手段】
本発明では、光源のスペクトル分布をいくつかの波長域に分割し、各波長域ごとに光透過部材の光学特性を求めてから積分すれば、各種の建物における室内光環境をきめ細かく解析できることに着目した。
【００１２】
すなわち、請求項１に記載の本発明は、演算処理装置、表示装置、入力装置および記憶装置を備えたコンピュータによる建物の光環境評価方法であって、波長別光源エネルギー量データベースおよび波長別光透過部材屈折率データベースを前記記憶装置に読み出し自在に格納しておき、前記建物の開口部に取り付ける光透過部材および光源に関するデータが前記入力装置を介して入力されたとき、前記演算処理装置が、前記光源のスペクトル分布を複数の波長域に分割し、前記記憶装置に格納された波長別光源エネルギー量データベースに基づいて前記光源の各波長域ごとのエネルギー量を算出するとともに、前記記憶装置に格納された波長別光透過部材屈折率データベースに基づいて前記光透過部材の各波長域ごとの透過率および反射率を算出し、これらエネルギー量、透過率および反射率に基づいて各波長域ごとの透過量および反射量を算出し、これら透過量および反射量をそれぞれ前記光源の全波長域にわたって足し合わせて室内照度を算出し、この室内照度を前記表示装置に表示するようにして構成される。
【００１３】
こうした構成を採用することにより、建物の設計に当たって、光透過部材の光学特性および透過率の波長依存性を考慮した正確な室内照度が瞬時に求まり、見やすく表示されるように作用する。
【００１４】
また、請求項２に記載の本発明は、前記波長別光源エネルギー量データベースを天候別の自然光について作成しておき、前記光源の各波長域ごとのエネルギー量を天候別に算出するようにして構成される。
【００１５】
かかる構成により、室内照度が晴天や曇天などの天候に対応して算出され、きめ細かい光環境評価が可能となるように作用する。
【００１６】
さらに、請求項３に記載の本発明は、地域ごとの気象データを前記記憶装置に読み出し自在に格納しておき、前記演算処理装置が、前記記憶装置に格納された気象データに基づいてトータルの室内照度を算出し、このトータルの室内照度と設計照度との差に基づいて人工光による補填量を算出し、この人工光による補填量の年間累計と設計照度の年間累計との差に基づいて年間の照明エネルギーの低減量を算出するようにして構成される。
【００１７】
かかる構成により、年間を通じての照明エネルギーの低減量が晴天・曇天の別に応じて求まるように作用する。
【００１８】
【発明の実施の形態】
以下、本発明の実施形態を図面に基づいて説明する。
【００１９】
図１は建物の構成を示す模式図、図２は本発明に係る建物の光環境評価方法の一実施形態を適用するときに用いられる光解析プログラムの一例を示すフローチャート、図３は照明エネルギー低減量算出プログラムの一例を示すフローチャートである。
【００２０】
この建物の光環境評価方法は、演算処理装置（マイクロプロセッサ、ＣＰＵなど）、表示装置（液晶ディスプレイ、ＣＲＴディスプレイなど）、入力装置（キーボード、マウスなど）および記憶装置（ＲＯＭ、ハードディスク、光磁気ディスクなど）を備えたパソコン等のコンピュータ（図示せず）を用い、その演算処理装置が、以下に述べるとおり、図２に示す光解析プログラムＰＲＧ１および図３に示す照明エネルギー低減量算出プログラムＰＲＧ２に基づいて実行する。なお、このコンピュータの記憶装置には、波長別光源エネルギー量データベース、波長別光透過部材屈折率データベースおよび地域ごとの気象データ（例えば、ＨＡＳＰやＡＭＥＤＡＳなどのデータ）が読み出し自在に格納されており、波長別光源エネルギー量データベースは、光源の種類の違いによって波長別自然光エネルギー量データベースと波長別人工光エネルギー量データベースに二分されている。さらに、この波長別自然光エネルギー量データベースは、晴天や曇天などの天候別に作成されている。
【００２１】
まず最初に、光解析プログラムＰＲＧ１のステップＳ１で、建物の３次元形状（屋根、壁、天井、床、開口部など）に関するデータの入力を促すメッセージが表示装置に表示されるので、作業者はこれらのデータを入力装置を介して入力する。
【００２２】
次に、光解析プログラムＰＲＧ１のステップＳ２に入り、建物の外壁３の開口部に取り付けられた光透過部材２の光学特性（拡散反射、鏡面反射、透過、拡散透過、色など）に関するデータの入力を促すメッセージが表示装置に表示されるので、作業者はこれらのデータを入力装置を介して入力する。
【００２３】
その後、光解析プログラムＰＲＧ１のステップＳ３で、光源に関するデータ（自然光については晴天、曇天、場所、日時、方位など、人工光については光束、配光特性、色温度など）および建築地の地理データ（緯度、経度など）の入力を促すメッセージが表示装置に表示されるので、作業者はこれらのデータを入力装置を介して入力する。
【００２４】
次いで、光解析プログラムＰＲＧ１のステップＳ４に入り、解析精度の選択を促すメッセージが表示装置に表示されるので、作業者は「詳細」または「簡易」のいずれかを任意に選択し、入力装置を介して入力する。
【００２５】
ここで、作業者が「簡易」を選択して入力した場合には、光解析プログラムＰＲＧ１のステップＳ５で、可視光域を一括して計算対象に選んだ後、光解析プログラムＰＲＧ１のステップＳ６に入り、公知の手法で光解析計算を簡易に実行する。
【００２６】
一方、作業者が「詳細」を選択して入力した場合には、光解析プログラムＰＲＧ１のステップＳ７に入り、光源の波長ごとに詳細に計算すべく、光解析プログラムＰＲＧ１のステップＳ８で、波長帯域として所望の値（例えば、０．４〜０．７μｍ）を設定するとともに、光解析プログラムＰＲＧ１のステップＳ９で、波長分割数として所望の値（例えば、１０）を設定する。
【００２７】
その後、光解析プログラムＰＲＧ１のステップＳ１０に入り、光源の種類に応じて波長別の光源エネルギー量を求める。すなわち、自然光については、波長別自然光エネルギー量データベースを記憶装置から読み出し、この波長別自然光エネルギー量データベースに基づいて自然光エネルギー量を波長別に計算し、また人工光については、波長別人工光エネルギー量データベースを記憶装置から読み出し、この波長別人工光エネルギー量データベースに基づいて人工光エネルギー量を波長別に計算する。
【００２８】
次いで、光解析プログラムＰＲＧ１のステップＳ１１に入り、光透過部材の波長別の透過率および反射率を求める。それには、波長別光透過部材屈折率データベースを記憶装置から読み出し、この波長別光透過部材屈折率データベースに基づき、数１〜数５に示す計算式を用いて透過率および反射率を波長別に計算する。これらの数式において、ｒは表面反射率、θ１は入射角、θ２は屈折角、ａは吸収率、ｋは物質に特有な定数（例えば、普通透明板ガラスではｋ＝０．０２／ｍｍ）、ｄは光透過部材の厚さ、ρは反射率、τは透過率、ｎは屈折率をそれぞれ表す。
【数１】
0004586261.tif 000002
【数２】
0004586261.tif 000003
【数３】
0004586261.tif 000004
【数４】
0004586261.tif 000005
【数５】
0004586261.tif 000006
【００２９】
こうして、光透過部材の波長別の透過率および反射率が求まったところで、光解析プログラムＰＲＧ１のステップＳ１２に入り、モンテカルロ法やレイトレーシング法を用いて光解析計算を実行する。すなわち、光解析プログラムＰＲＧ１のステップＳ１０で算出した波長別の光源エネルギー量と、光解析プログラムＰＲＧ１のステップＳ１１で算出した光透過部材の波長別の透過率および反射率とを基に、光源の各波長域ごとの透過量および反射量を算出した後、これら透過量および反射量をそれぞれ光源の全波長域にわたって足し合わせて室内照度を算出する。
【００３０】
そして、光解析プログラムＰＲＧ１のステップＳ１３で、こうして求まった室内照度を表示装置に表示する。この際、室内照度を視覚的にわかりやすくするため、ビジュアル化されてカラーコンタ表示されたり、任意平面メッシュ交点の計算値データとして表示される。
【００３１】
最後に、光解析プログラムＰＲＧ１のステップＳ１４に入り、この表示装置に表示された室内照度を見て分析・評価し、その結果が肯定的であれば、ここで光解析プログラムＰＲＧ１に基づく建物の光環境評価方法が終了するが、その結果が否定的であれば、光解析プログラムＰＲＧ１のステップＳ２に戻り、同じ手順が繰り返される。
【００３２】
このように、建物の設計に当たっては、作業者がその建物の３次元形状、光透過部材の光学特性および光源に関するデータを入力し、解析精度として「詳細」を選択すると、光透過部材の光学特性および透過率の波長依存性を考慮した正確な室内照度が瞬時に求まり、見やすく表示されるため、適度な室内照度が得られるか否かを素早く正確に判定することができ、プランの完成に要する手間と時間を省くことが可能となる。しかも、波長別自然光エネルギー量データベースは天候別に作成されているので、室内照度が天候に対応して算出され、きめ細かい光環境評価が可能となる。
【００３３】
このようにして、図２に示す光解析プログラムＰＲＧ１に基づく光解析作業が終了したところで、図３に示す照明エネルギー低減量算出プログラムＰＲＧ２に基づく照明エネルギー低減量の算出作業に移行する。
【００３４】
すなわち、まず照明エネルギー低減量算出プログラムＰＲＧ２のステップＳ１で、先ほど入力された地理データに基づいて太陽高度が１０°以上であるか否かを判定する。その結果、太陽高度が１０°未満である場合は、太陽光による照度獲得がほとんど期待できないので、照明エネルギー低減量算出プログラムＰＲＧ２のステップＳ２に入り、計算対象から除外するのに対し、太陽高度が１０°以上である場合には、照明エネルギー低減量算出プログラムＰＲＧ２のステップＳ３に入り、地域ごとの気象データを記憶装置から読み出し、雲量が８．５以上であるか否かによって曇天か晴天かを判定する。
【００３５】
その結果、雲量が８．５未満である場合は曇天と判定し、照明エネルギー低減量算出プログラムＰＲＧ２のステップＳ４で、地域ごとの気象データに基づいて天空日射量を算出した後、照明エネルギー低減量算出プログラムＰＲＧ２のステップＳ７に入る。他方、雲量が８．５以上である場合は晴天と判定し、照明エネルギー低減量算出プログラムＰＲＧ２のステップＳ４における天空日射量の算出作業に加えて、照明エネルギー低減量算出プログラムＰＲＧ２のステップＳ５に入り、地域ごとの気象データに基づいて法線面直達日射量を算出し、照明エネルギー低減量算出プログラムＰＲＧ２のステップＳ６で、この法線面直達日射量を水平面直達日射量に換算した後、照明エネルギー低減量算出プログラムＰＲＧ２のステップＳ７に入る。
【００３６】
こうして、照明エネルギー低減量算出プログラムＰＲＧ２のステップＳ７に入ったところで、先ほど入力された建物の３次元形状に関するデータおよび光透過部材２の光学特性に関するデータに基づいて昼光率を算出する。そして、曇天の場合は、照明エネルギー低減量算出プログラムＰＲＧ２のステップＳ８で、天空光による室内照度を算出した後、照明エネルギー低減量算出プログラムＰＲＧ２のステップＳ１０に入る。また、晴天の場合は、照明エネルギー低減量算出プログラムＰＲＧ２のステップＳ８における天空光による室内照度の算出作業に加えて、照明エネルギー低減量算出プログラムＰＲＧ２のステップＳ９に入り、直達光による室内照度を算出した後、照明エネルギー低減量算出プログラムＰＲＧ２のステップＳ１０に入る。
【００３７】
こうして、照明エネルギー低減量算出プログラムＰＲＧ２のステップＳ１０に入ったところで、天空光および直達光による室内照度を足し合わせてトータルの室内照度を算出する。次いで、照明エネルギー低減量算出プログラムＰＲＧ２のステップＳ１１で、このトータルの室内照度を設計照度から減じることにより、人工光による補填量を算出する。具体的には、トータルの室内照度が７５０lxを下回るときに、７５０lxとの差を積算することになる。
【００３８】
最後に、照明エネルギー低減量算出プログラムＰＲＧ２のステップＳ１２に入り、人工光による補填量の年間累計を設計照度の年間累計から減じ、電力換算することにより、年間の照明エネルギーの低減量を算出する。
【００３９】
ここで、照明エネルギー低減量算出プログラムＰＲＧ２に基づく照明エネルギー低減量の算出作業が終了し、省エネルギー効果を容易に算出することが可能となる。
【００４０】
なお、上述の実施形態においては、室内照度を算出することを目的として可視光域のみを対象としたが、可視光域のみならず自然光の全波長域（紫外線や赤外線など）に拡張することにより、建物の熱環境評価を行うこともできる。
【００４１】
【発明の効果】
以上説明したように、請求項１に記載の本発明によれば、建物の設計に当たっては、コンピュータにいくつかのデータを入力するだけで、光透過部材の光学特性および透過率の波長依存性を考慮した正確な室内照度が瞬時に求まり、見やすく表示されることから、適度な室内照度が得られるか否かを素早く正確に判定することができ、プランの完成に要する手間と時間を省くことが可能な建物の光環境評価方法を提供することができる。
【００４２】
また、請求項２に記載の本発明によれば、晴天や曇天などの天候に対応して室内照度が算出され、きめ細かい光環境評価が可能となることから、建物の実状に即した有益な光環境評価を得ることができ、利便性が向上する。
【００４３】
さらに、請求項３に記載の本発明によれば、年間を通じての照明エネルギーの低減量が晴天・曇天の別に応じて求まることから、省エネルギー効果を容易に得ることができる。
【図面の簡単な説明】
【図１】建物の構成を示す模式図である。
【図２】本発明に係る建物の光環境評価方法の一実施形態を適用するときに用いられる光解析プログラムの一例を示すフローチャートである。
【図３】照明エネルギー低減量算出プログラムの一例を示すフローチャートである。
【符号の説明】
１……建物
２……光透過部材
【図１】
0004586261.tif 000007
【図２】
0004586261.tif 000008
【図３】
0004586261.tif 000009